(57)【要約】【課題】容易にタブ群とケースを絶縁できる蓄電装置を提供すること。【解決手段】二次電池１０は、蓋部材１５と正極引出端子６０の基部６０ｂ、及び蓋部材１５と負極引出端子６１の基部６３との間に介在する第１絶縁部材４０を備える。二次電池１０は、第２絶縁部材９０を備える。第２絶縁部材９０は、電極接合部５１ａ，５２ａと蓋部材１５との間に介在する壁絶縁部９１ａを有するとともに、タブ群３６の先端側曲げ部３６ｃと、この先端側曲げ部３６ｃに対向したケース部材１４とを絶縁するタブ絶縁部９１ｂと、を備える。第１絶縁部材４０は、タブ群３６の基端側曲げ部３６ａと、ケース部材１４とを絶縁する絶縁壁部４２を備える。【選択図】図１
2018006119.tif 000002
【特許請求の範囲】
【請求項１】
シート状の正極と負極の電極が絶縁された状態で交互に積層された電極組立体と、
前記電極の一辺の一部が突出した形状のタブが同じ極性同士で積層されたタブ群と、
前記電極組立体及び前記タブ群を収容するケース部材、及び該ケース部材の開口部を閉塞する蓋部材を有するケースと、
前記蓋部材に固定され、前記蓋部材から前記電極組立体に向けて突出した基部を備えた一対の電極端子と、
同じ極性の前記タブ群と接合された電極接合部、及び前記電極端子の基部と電気的に接続された端子接続部を備え、前記蓋部材と該蓋部材に対峙した前記電極組立体の端面との間に配置された一対の導電部材と、
前記蓋部材と前記基部とを絶縁する第１絶縁部材と、
一対の前記電極接合部と前記蓋部材とを絶縁する壁絶縁部を有するとともに、
前記電極の積層方向のいずれか一方の端部側に位置した前記タブ群の第１端部を前記ケースと絶縁するタブ絶縁部を有する第２絶縁部材と、
を備え、
少なくとも負極側の前記第１絶縁部材は、前記積層方向の他方の端部側に位置した前記タブ群の第２端部と前記ケースとを絶縁する絶縁壁部を備えることを特徴とする蓄電装置。
【請求項２】
正極側の前記第１絶縁部材も前記絶縁壁部を備える請求項１に記載の蓄電装置。
【請求項３】
正極側の前記導電部材と負極側の前記導電部材とが並ぶ方向を並設方向とし、両極の前記第１絶縁部材の前記絶縁壁部は、前記並設方向に延びる一直線上に位置している請求項２に記載の蓄電装置。
【請求項４】
前記タブ群は、各タブを基端側から曲げた基端側曲げ部と、前記基端側曲げ部から前記積層方向に沿って突出した延出部と、を備え、前記第２絶縁部材は、前記タブ絶縁部から前記積層方向に延出した被覆部を備え、前記タブ絶縁部は、前記第１端部としての前記延出部の先端部を前記ケースと絶縁するとともに、前記被覆部は、前記延出部の先端部のうち、前記電極組立体に最も近い前記タブを前記電極組立体側から覆い、前記第１絶縁部材の前記絶縁壁部は、前記第２端部としての前記基端側曲げ部を前記ケースと絶縁する請求項１〜請求項３のうちいずれか一項に記載の蓄電装置。
【請求項５】
前記延出部は、前記電極組立体に向けて曲げた形状の先端側曲げ部を備える請求項４に記載の蓄電装置。
【請求項６】
前記蓄電装置は二次電池である請求項１〜請求項５のうちいずれか一項に記載の蓄電装置。
【発明の詳細な説明】
【技術分野】
【０００１】
本発明は、蓋部材と電極端子の基部との間に介在する第１絶縁部材を有する蓄電装置に関する。
【背景技術】
【０００２】
ＥＶ（Electric Vehicle）やＰＨＶ（Plug in Hybrid）などの車両には、走行用モータへの供給電力を蓄える蓄電装置としての二次電池が搭載されている。一般に、二次電池は、電極組立体を収容するケースを備え、そのケース内に電極組立体が収容されている。そして、二次電池からの電力の取り出しは、電極組立体の正極電極及び負極電極に、導電部材を介して接続された電極端子を通して行われている。
【０００３】
電極組立体には、例えば、複数の正極電極と複数の負極電極との間にセパレータを介在させた状態で積層した積層型の電極組立体や、帯状の正極電極と帯状の負極電極との間に帯状のセパレータを介在させた状態で捲回した捲回型の電極組立体がある。
【０００４】
一般に、二次電池のケースには耐久性に優れるアルミニウム等の金属製ケースが多用されている。金属製のケースと電極組立体を絶縁するため、電極組立体とケースの間には絶縁フィルムが配置されている。
【０００５】
特許文献１に開示の蓄電装置においては、正極集電部材（導電部材）及び負極集電部材（導電部材）における集電群（タブ群）との接続面が電極組立体と対向するように正極集電部材及び負極集電部材を配設している。ケース内では、断面Ｕ字状の絶縁カバーが、正極集電部材及び負極集電部材とケースの端子壁との間に配設されるとともに、対向面と蓋部材とを離間させている。
【先行技術文献】
【特許文献】
【０００６】
【特許文献１】再公表ＷＯ２０１３／１５７４３３号公報
【発明の概要】
【発明が解決しようとする課題】
【０００７】
ところで、二次電池の組立方法の一つに、蓋部材に電極端子を固定し、かつ電極端子に導電部材を接合して、蓋部材、電極端子及び導電部材をユニット化した蓋端子組立体を予め組み立ておく方法がある。この方法では、蓋端子組立体の導電部材と、電極組立体のタブ群とを接合した後に、電極組立体をケース部材に挿入して、蓋部材をケース部材に固定する。
【０００８】
この方法では、電極端子を導電部材に接合した後に、特許文献１に開示のような断面Ｕ字状の絶縁カバーを装着することはできず、タブ群の最外層とケースとを絶縁するには、絶縁フィルムを電極組立体の活物質層だけでなくタブ群の位置まで配置しなければならない。よって、蓋端子組立体を用いて製造される二次電池において、タブ群の最外層とケースとを絶縁するには、電極端子を導電部材に接合する前に断面Ｕ字状の絶縁カバーを装着することになり組立工程の削減が求められる。
【０００９】
本発明の目的は、容易にタブ群とケースを絶縁できる蓄電装置を提供することにある。
【課題を解決するための手段】
【００１０】
上記問題点を解決するための蓄電装置は、シート状の正極と負極の電極が絶縁された状態で交互に積層された電極組立体と、前記電極の一辺の一部が突出した形状のタブが同じ極性同士で積層されたタブ群と、前記電極組立体及び前記タブ群を収容するケース部材、及び該ケース部材の開口部を閉塞する蓋部材を有するケースと、前記蓋部材に固定され、前記蓋部材から前記電極組立体に向けて突出した基部を備えた一対の電極端子と、同じ極性の前記タブ群と接合された電極接合部、及び前記電極端子の基部と電気的に接続された端子接続部を備え、前記蓋部材と該蓋部材に対峙した前記電極組立体の端面との間に配置された一対の導電部材と、前記蓋部材と前記基部とを絶縁する第１絶縁部材と、一対の前記電極接合部と前記蓋部材とを絶縁する壁絶縁部を有するとともに、前記電極の積層方向のいずれか一方の端部側に位置した前記タブ群の第１端部を前記ケースと絶縁するタブ絶縁部を有する第２絶縁部材と、を備え、少なくとも負極側の前記第１絶縁部材は、前記積層方向の他方の端部側に位置した前記タブ群の第２端部と前記ケースとを絶縁する絶縁壁部を備えることを要旨とする。
【００１１】
これによれば、蓄電装置の製造方法の一つに、蓋部材に対し、一対の電極端子を固定し、電極端子の基部に導電部材の端子接続部を接合して、蓋端子組立体を予め製造した後、電極接合部にタブ群を接合して、蓋端子組立体と電極組立体を一体化した後、電極組立体をケース部材内に収容する方法がある。この方法では、蓋端子組立体の製造時に、第１絶縁部材が蓋端子組立体に組み込まれる。また、蓋端子組立体が製造された後、第２絶縁部材の壁絶縁部を、蓋部材と一対の電極接合部との間に挿入すると、第２絶縁部材が蓋端子組立体に組付けられる。
【００１２】
このような製造方法で製造された蓄電装置において、蓋部材と電極接合部は第２絶縁部材の壁絶縁部で絶縁される。タブ群においては、積層方向一方の第１端部はタブ絶縁部でケースと絶縁され、積層方向他方の第２端部は第１絶縁部材の絶縁壁部によってケースと絶縁される。よって、蓋端子組立体に第２絶縁部材を装着した蓄電装置であっても、第２絶縁部材と第１絶縁部材とで、タブ群を積層方向両側からケースと絶縁することができる。
【００１３】
そして、第１絶縁部材は、蓋端子組立体に予め組付けられた部材である。この第１絶縁部材に絶縁壁部を設けるだけで、タブ群をケースから絶縁することができる。したがって、タブ群を積層方向両側から絶縁するための工程を増やさずに絶縁できる。
【００１４】
また、蓄電装置について、正極側の前記第１絶縁部材も前記絶縁壁部を備えていてもよい。
これによれば、第２絶縁部材のタブ絶縁部と、第１絶縁部材の絶縁壁部とにより、正極及び負極のタブ群を積層方向両側からケースと絶縁できる。
【００１５】
また、蓄電装置について、正極側の前記導電部材と負極側の前記導電部材とが並ぶ方向を並設方向とし、両極の前記第１絶縁部材の前記絶縁壁部は、前記並設方向に延びる一直線上に位置しているのが好ましい。
【００１６】
これによれば、正極及び負極の絶縁壁部が並設方向に沿って同一直線上にある。このため、一対の絶縁壁部により、各極のタブ群を積層方向の同じ位置に位置決めできる。
また、蓄電装置について、前記タブ群は、各タブを基端側から曲げた基端側曲げ部と、前記基端側曲げ部から前記積層方向に沿って突出した延出部と、を備え、前記第２絶縁部材は、前記タブ絶縁部から前記積層方向に延出した被覆部を備え、前記タブ絶縁部は、前記第１端部としての前記延出部の先端部を前記ケースと絶縁するとともに、前記被覆部は、前記延出部の先端部のうち、前記電極組立体に最も近い前記タブを前記電極組立体側から覆い、前記第１絶縁部材の前記絶縁壁部は、前記第２端部としての前記基端側曲げ部を前記ケースと絶縁してもよい。
【００１７】
これによれば、第１絶縁部材は、蓋端子組立体の製造時に組み込まれる。このため、延出部の先端部を絶縁壁部で電極組立体側から覆う形状にすると、タブ群と電極接合部とを接合する時に、絶縁壁部が接合の障害になる虞がある。しかし、第２絶縁部材の被覆部で延出部を覆うことにより、絶縁壁部がタブ群と電極接合部の接合の障害になることがなく、先端部と電極組立体との接触を抑制できる。
【００１８】
また、蓄電装置について、前記延出部は、前記電極組立体に向けて曲げた形状の先端側曲げ部を備えていてもよい。
これによれば、先端側曲げ部は電極組立体に向けて曲げられているため、延出部の先端部が電極組立体に接触しやすい形状であるが、第２絶縁部材が備える被覆部によって、先端側曲げ部と電極組立体との接触を規制できる。
【００１９】
前記蓄電装置は二次電池である。
【発明の効果】
【００２０】
本発明によれば、容易にタブ群とケースを絶縁できる。
【図面の簡単な説明】
【００２１】
【図１】実施形態の二次電池を示す分解斜視図。
【図２】実施形態の二次電池を示す斜視図。
【図３】実施形態の第１絶縁部材を示す斜視図。
【図４】蓋端子組立体を蓋部材の内面側から示す斜視図。
【図５】外部接続端子付近を示す断面図。
【図６】別例の二次電池を示す断面図。
【発明を実施するための形態】
【００２２】
以下、蓄電装置を二次電池に具体化した一実施形態を図１〜図５にしたがって説明する。
図１又は図２に示すように、蓄電装置としての二次電池１０はケース１１を備え、ケース１１には電極組立体１２が収容されている。ケース１１は、四角箱状のケース部材１４と、このケース部材１４の開口部１４ａを閉塞する矩形平板状の蓋部材１５とを有している。ケース１１はアルミニウム製である。本実施形態の二次電池１０はリチウムイオン電池である。
【００２３】
電極組立体１２は、シート状の複数の正極電極２１とシート状の複数の負極電極３１とを備え、正極電極２１と負極電極３１とは異なる極性の電極である。詳細に図示しないが、正極電極２１は、正極金属箔（本実施形態ではアルミニウム箔）と、その正極金属箔の両面に存在する正極活物質層とを有する。
【００２４】
負極電極３１は、負極金属箔（本実施形態では銅箔）と、その負極金属箔の両面に存在する負極活物質層とを有する。そして、電極組立体１２は、複数の正極電極２１と複数の負極電極３１の間にこれらを絶縁するセパレータ２４を介在させて層状とした積層型である。電極組立体１２において、正極電極２１と負極電極３１が積層された方向を積層方向とする。
【００２５】
正極電極２１は、正極電極２１の一辺２１ａの一部から突出した形状のタブ２５を有する。負極電極３１は、負極電極３１の一辺３１ａの一部から突出した形状のタブ３５を有する。複数の正極のタブ２５、及び複数の負極のタブ３５は、正極電極２１及び負極電極３１が積層された状態で、正極のタブ２５と負極のタブ３５とが重ならない位置にそれぞれ設けられている。
【００２６】
電極組立体１２は、正極電極２１の一辺２１ａ、負極電極３１の一辺３１ａ、及びセパレータ２４の一辺を寄せ集めて形成されたタブ側端面１２ｂを有する。電極組立体１２を構成する各正極電極２１は、それぞれのタブ２５が積層方向に沿って列状に配置されるように積層される。同様に、電極組立体１２を構成する各負極電極３１は、それぞれのタブ３５が積層方向に沿って列状に配置されるように積層される。
【００２７】
二次電池１０は、タブ側端面１２ｂから突出した正極のタブ群３６を有し、このタブ群３６は、全ての正極のタブ２５を積層方向の一端側に寄せ集め、積層して構成されている。また、二次電池１０は、タブ側端面１２ｂから突出した負極のタブ群３６を有し、このタブ群３６は、全ての負極のタブ３５を積層方向の一端側に寄せ集め、積層して構成されている。
【００２８】
各タブ群３６、及び電極組立体１２のタブ側端面１２ｂに対し、蓋部材１５の内面１５ｄが対峙している。蓋部材１５の内面１５ｄとタブ側端面１２ｂとを最短距離で結ぶ方向を対向方向Ｚとする。
【００２９】
図５に示すように、各タブ群３６において、積層方向一端に位置するタブを第１タブ３６１と記載する。タブ群３６において、積層方向他端に位置するタブを第２タブ３６２と記載する。タブ群３６においては、第１タブ３６１に第２タブ３６２が接近するように、積層方向一端側に各極のタブ２５，３５が寄せ集められている。これにより、積層段階で独立していた各タブ２５，３５は、第１タブ３６１側に集約されている。
【００３０】
各タブ２５，３５は同じ大きさに形成されている。このため、積層方向において、第１タブ３６１からの離間距離が長いタブ２５，３５ほど、タブ群３６として集約されるタブ２５，３５の長さが短い。このため、全てのタブ２５，３５を導通させるための導通部Ｗは、第２タブ３６２における他のタブ２５，３５との重合領域に合わせて設けられている。また、タブ群３６において、導通部Ｗよりも先端側では、全てのタブ２５，３５が自由端となっている。
【００３１】
各タブ群３６は、積層方向一端側で積層された状態で積層方向他端側に向けて曲げられた基端側曲げ部３６ａと、基端側曲げ部３６ａから積層方向に沿って突出した延出部３６ｂと、を備える。基端側曲げ部３６ａは、タブ群３６の各タブ２５，３５の基端側（電極組立体１２側）を曲げた構造である。延出部３６ｂは、基端側曲げ部３６ａより先端側の部分である。また、延出部３６ｂは、該延出部３６ｂの先端付近に先端側曲げ部３６ｃを備える。先端側曲げ部３６ｃは、延出部３６ｂの先端付近を電極組立体１２に向けて曲げた構造である。先端側曲げ部３６ｃを構成するタブ２５，３５のうち、最外層の第１タブ３６１が電極組立体１２に最も近い位置にある。
【００３２】
図１に示すように、正極のタブ群３６には、電極組立体１２と、後述の正極端子構造１６とを電気的に接続するための正極導電部材５１が接合されている。また、負極のタブ群３６には、電極組立体１２と、後述の負極端子構造１７とを電気的に接続するための負極導電部材５２が接合されている。蓋部材１５の内面１５ｄと電極組立体１２のタブ側端面１２ｂとの間には、正極導電部材５１及び負極導電部材５２が配置されている。
【００３３】
正極導電部材５１は、タブ群３６と接合された板状の電極接合部５１ａを長手方向一端側に備える。また、正極導電部材５１は、後述の正極引出端子６０と接続される平板状の端子接続部５１ｂを長手方向他端側に備え、電極接合部５１ａと端子接続部５１ｂは長手方向に連続している。
【００３４】
負極導電部材５２は、タブ群３６と電気的に接合された板状の電極接合部５２ａを長手方向一端側に備える。また、負極導電部材５２は、後述の負極引出端子６１と電気的に接合された端子接続部５２ｂを長手方向他端側に備え、電極接合部５２ａと端子接続部５２ｂは長手方向に連続している。
【００３５】
次に、正極端子構造１６及び負極端子構造１７を説明する。なお、正極端子構造１６と負極端子構造１７は、電流遮断機構を除いて基本的に同じ構成であるため、共通の部材については、同じ部材番号を使用して説明する。
【００３６】
まず、正極端子構造１６及び負極端子構造１７を設けるための蓋部材１５の構成について説明する。蓋部材１５は、ケース１１の外側に臨む外面１５ｃ及びケース１１の内側に臨む内面１５ｄを有し、蓋部材１５において、外面１５ｃと内面１５ｄを最短距離で結ぶ方向を厚み方向とする。蓋部材１５は、長手方向の両端側に挿通孔１５ｅを備える。
【００３７】
正極端子構造１６及び負極端子構造１７は、蓋部材１５の外面１５ｃに配置された外側絶縁部材５７を備える。この外側絶縁部材５７は、正極の外部接続端子６６及び正極引出端子６０と、蓋部材１５とを絶縁し、負極の外部接続端子６６及び負極引出端子６１と、蓋部材１５とを絶縁する。外側絶縁部材５７は合成樹脂製である。外側絶縁部材５７は、蓋部材１５の外面１５ｃから見て矩形状である。外側絶縁部材５７の表面５７ｃと裏面５７ａとを結ぶ方向を厚み方向とする。
【００３８】
外側絶縁部材５７は、長手方向の一端寄りに、回り止め部５８を備える。回り止め部５８は、表面５７ｃから裏面５７ａに向けて四角形状に凹んだ形状である。外側絶縁部材５７は、厚み方向に貫通する挿通孔５７ｄを長手方向の他端寄りに備える。挿通孔５７ｄは、蓋部材１５の挿通孔１５ｅと一致した位置にある。
【００３９】
正極端子構造１６及び負極端子構造１７は、蓋部材１５の外側に配置された外部接続端子６６を備え、この外部接続端子６６は蓋部材１５の外側で、二次電池１０同士を電気的に接続するバスバーを固定可能とする。外部接続端子６６は金属製である。この外部接続端子６６は、角柱状のボルト頭部６７と、外部接続端子６６の軸方向に沿ってボルト頭部６７の一端面から突出した形状の軸部６８と、ボルト頭部６７の他端面から突出した形状の係合凸部６９とを、備える。軸部６８には、バスバー締結用のナットが螺合可能である。
【００４０】
係合凸部６９は、外側絶縁部材５７の回り止め部５８内に挿入されている。係合凸部６９の外側面は、回り止め部５８の内側面に接触し、係止している。この接触により、外部接続端子６６は、外側絶縁部材５７の表面５７ｃに沿う方向への移動が規制されている。
【００４１】
正極端子構造１６は、電極組立体１２の正極のタブ群３６と正極導電部材５１を介して電気的に接続された電極端子としての正極引出端子６０を備える。負極端子構造１７は、電極組立体１２の負極のタブ群３６と負極導電部材５２を介して電気的に接続された電極端子としての負極引出端子６１を備える。
【００４２】
正極引出端子６０は、正極の端子接続部材４４と電気的に接続される接続用軸部６０ａと、正極導電部材５１の端子接続部５２ｂと電気的に接続される基部６０ｂと、基部６０ｂから突出したカシメ部６０ｃ（図４参照）を軸方向に連続して備える。正極引出端子６０の接続用軸部６０ａは、後述する第１絶縁部材４０の挿通孔４０ａ、蓋部材１５の挿通孔１５ｅ、外側絶縁部材５７の挿通孔５７ｄ及び端子接続部材４４の挿通孔４７ａに挿通されている。正極引出端子６０の基部６０ｂは、四角板状である。正極引出端子６０の基部６０ｂは、蓋部材１５の内面１５ｄからケース１１内に突出して配置されている。カシメ部６０ｃはカシメられて端子接続部５１ｂに接している。
【００４３】
なお、端子接続部材４４は、長手方向の一端側に、外部接続端子６６と接続される接続片４６を備え、長手方向の他端側に固定片４７を備える。端子接続部材４４は、接続片４６を厚み方向に貫通する貫通孔４６ａを備え、この貫通孔４６ａには外部接続端子６６の軸部６８が挿通されている。また、端子接続部材４４は、固定片４７を厚み方向に貫通する挿通孔４７ａを備える。
【００４４】
正極端子構造１６は、Ｏリング７３を有し、このＯリング７３には、正極引出端子６０の接続用軸部６０ａが挿通され、かつ基部６０ｂに支持されている。正極端子構造１６は、接続用軸部６０ａが挿通された前述の第１絶縁部材４０を有する。第１絶縁部材４０は、後に詳述する。
【００４５】
端子接続部材４４の挿通孔４７ａを貫通した接続用軸部６０ａ及びカシメ部６０ｃの先端部が軸方向にカシメられることにより、接続用軸部６０ａとカシメ部６０ｃによって、正極導電部材５１、第１絶縁部材４０、蓋部材１５、外側絶縁部材５７、及び端子接続部材４４の固定片４７が挟持されている。この挟持により、正極引出端子６０が蓋部材１５に固定されている。Ｏリング７３は、蓋部材１５の内面１５ｄのうち挿通孔１５ｅの周囲に密接し、蓋部材１５の挿通孔１５ｅをシールしている。
【００４６】
図２に示すように、正極引出端子６０の接続用軸部６０ａの先端部は、端子接続部材４４における固定片４７の表面に係止するとともに、この係止によって正極引出端子６０と端子接続部材４４が電気的に接続されている。また、正極引出端子６０の基部６０ｂは、正極導電部材５１の端子接続部５１ｂに接触し、この接触によって、正極引出端子６０と正極導電部材５１が電気的に接続されている。
【００４７】
図１に示すように、負極端子構造１７において、負極引出端子６１は、負極の端子接続部材４４と電気的に接続される接続用軸部６２と、負極導電部材５２の端子接続部５２ｂと電気的に接続される基部６３とを軸方向に連続して備える。負極引出端子６１の接続用軸部６２は、第１絶縁部材４０の挿通孔４０ａ、蓋部材１５の挿通孔１５ｅ、外側絶縁部材５７の挿通孔５７ｄ及び端子接続部材４４の挿通孔４７ａに挿通されている。
【００４８】
負極引出端子６１の基部６３は、四角板状である。基部６３の外形形状は、負極引出端子６１を軸方向から見て四角形状である。負極端子構造１７は、Ｏリング７３を有し、このＯリング７３には接続用軸部６２が挿通され、かつ基部６３に支持されている。負極端子構造１７は、接続用軸部６２が挿通された第１絶縁部材４０を有する。第１絶縁部材４０は後に詳述する。第１絶縁部材４０の内側には、基部６３に支持されたＯリング７３が配置されている。
【００４９】
図２に示すように、負極端子構造１７において、端子接続部材４４の挿通孔４７ａを貫通した接続用軸部６２の先端部が軸方向にカシメられることにより、接続用軸部６２と基部６３によって、第１絶縁部材４０、蓋部材１５、外側絶縁部材５７、及び端子接続部材４４が挟持されている。この挟持により、負極引出端子６１が蓋部材１５に固定されている。Ｏリング７３は、蓋部材１５の内面１５ｄのうち挿通孔１５ｅの周囲に密接し、蓋部材１５の挿通孔１５ｅをシールしている。
【００５０】
また、負極引出端子６１の接続用軸部６２の先端部は、端子接続部材４４における固定片４７の表面に係止するとともに、この係止によって負極引出端子６１と端子接続部材４４が電気的に接続されている。
【００５１】
図１に示すように、二次電池１０は、一方の電極端子である負極引出端子６１に一体の電流遮断機構８０を備える。電流遮断機構８０は、ケース１１の内部に配置されており、ケース１１の内部圧力が所定の設定圧力に達すると、電極組立体１２と、負極引出端子６１とを電気的に接続している通電経路の電流を遮断する。
【００５２】
図１又は図５に示すように、二次電池１０は、第２絶縁部材９０を備える。第２絶縁部材９０は、電極接合部５１ａ，５２ａと蓋部材１５との間に介在する壁絶縁部９１ａを備える。壁絶縁部９１ａは、電極接合部５１ａ，５２ａと蓋部材１５を絶縁する。ここで、第２絶縁部材９０において、正極導電部材５１と負極導電部材５２が並ぶ並設方向に沿う方向を長手方向とし、壁絶縁部９１ａの外面に沿い、かつ長手方向に直交する方向を短手方向とする。第２絶縁部材９０は、矩形板状の壁絶縁部９１ａと、壁絶縁部９１ａの一方の長縁部から電極組立体１２に向けて突出した形状のタブ絶縁部９１ｂと、タブ絶縁部９１ｂの突出端から壁絶縁部９１ａの他方の長縁部に向けて突出した形状の被覆部９１ｄと、を備える。
【００５３】
タブ絶縁部９１ｂは、各タブ群３６の先端側曲げ部３６ｃと、この先端側曲げ部３６ｃに対向したケース１１の第１内壁面１１ａとの間に介在し、それら先端側曲げ部３６ｃをケース１１から絶縁する。したがって、本実施形態では、先端側曲げ部３６ｃが、積層方向のいずれか一方の端部側に位置した第１端部となる。被覆部９１ｄは、各タブ群３６の先端側曲げ部３６ｃを電極組立体１２側から覆う。被覆部９１ｄは、先端側曲げ部３６ｃのうち、電極組立体１２に最も近いタブである第１タブ３６１を電極組立体１２側から覆う。
【００５４】
第２絶縁部材９０は、電流遮断機構８０を含む負極引出端子６１の基部６３と電極組立体１２のタブ側端面１２ｂとの間に介在する負極絶縁部９３と、正極引出端子６０の基部６０ｂと電極組立体１２のタブ側端面１２ｂとの間に介在する正極絶縁部９２とを備える。
【００５５】
正極絶縁部９２は、矩形状の壁絶縁部９１ａの長手方向の一端部に一体であり、負極絶縁部９３は、壁絶縁部９１ａの長手方向の他端部に一体である。正極絶縁部９２は、蓋部材１５の外面１５ｃから見た平面視が四角形状である。正極絶縁部９２は、基部６０ｂの全体を電極組立体１２側から覆う。
【００５６】
負極絶縁部９３は、蓋部材１５の外面１５ｃから見た平面視が四角形状である。負極絶縁部９３の平面視サイズは、負極引出端子６１の基部６３及び電流遮断機構８０の平面視サイズとほぼ同じであり、電流遮断機構８０の全体を電極組立体１２側から覆う。
【００５７】
次に、第１絶縁部材４０について詳細に説明する。なお、図５では、負極端子構造１７の第１絶縁部材４０を示しているが、正極端子構造１６と負極端子構造１７とで第１絶縁部材４０の構造は基本的に同じであるため、正極端子構造１６の図示は省略する。
【００５８】
図１に示すように、負極端子構造１７の第１絶縁部材４０は、対向方向Ｚにおいて、負極引出端子６１の基部６３と蓋部材１５との間に介在し、負極引出端子６１と蓋部材１５とを絶縁する。図３に示すように、第１絶縁部材４０は、端子絶縁部４１の天板４１ａに挿通孔４０ａを備える。挿通孔４０ａには、接続用軸部６２が挿通される。
【００５９】
ここで、負極導電部材５２の一対の長縁部のうち、積層方向一端寄りの長縁部を第１長縁部５２ｄとする。図４に示すように、第１絶縁部材４０は、負極導電部材５２の第１長縁部５２ｄに沿って配置された絶縁壁部４２を備える。絶縁壁部４２は、端子絶縁部４１の四側面のうち、第１長縁部５２ｄに平行な側面から電極組立体１２に向けて突出している。絶縁壁部４２は、並設方向に沿って端子絶縁部４１から突出した形状であり、細板状である。
【００６０】
図１に示すように、正極端子構造１６の第１絶縁部材４０は、対向方向Ｚにおいて、正極引出端子６０の基部６０ｂと蓋部材１５との間に介在し、正極引出端子６０と蓋部材１５とを絶縁する。第１絶縁部材４０は、基部６０ｂを蓋部材１５側から覆う有蓋四角箱状の端子絶縁部４１を備える。第１絶縁部材４０は、端子絶縁部４１の天板４１ａに挿通孔４０ａを備える。挿通孔４０ａには、接続用軸部６０ａが挿通される。
【００６１】
ここで、正極導電部材５１の一対の長縁部のうち、積層方向一端寄りの長縁部を第１長縁部５１ｄとする。図４に示すように、第１絶縁部材４０は、正極導電部材５１の第１長縁部５１ｄに沿って配置された絶縁壁部４２を備える。絶縁壁部４２は、端子絶縁部４１の四側面のうち、第１長縁部５１ｄに平行な側面から電極組立体１２に向けて突出している。絶縁壁部４２は、並設方向に沿って端子絶縁部４１から突出した形状であり、細板状である。
【００６２】
図１又は図５に示すように、各極において、絶縁壁部４２は、積層方向において、タブ群３６の基端側曲げ部３６ａと、該基端側曲げ部３６ａに対向したケース１１の第２内壁面１１ｂとの間に介在する。絶縁壁部４２は、各導電部材５１，５２の電極接合部５１ａ，５２ａ及びタブ群３６の基端側曲げ部３６ａを覆う。各絶縁壁部４２は、各タブ群３６において、積層方向の他方の端部側に位置した第２端部としての基端側曲げ部３６ａをケース１１の第２内壁面１１ｂ側から覆う。よって、各絶縁壁部４２は、各基端側曲げ部３６ａとケース１１を絶縁する。
【００６３】
対向方向Ｚに沿った端子絶縁部４１からの絶縁壁部４２の突出寸法は、基端側曲げ部３６ａ及び第１タブ３６１の基端側を覆う長さに設定されている。また、並設方向に沿った端子絶縁部４１からの絶縁壁部４２の寸法は、電極接合部５２ａ及びタブ群３６の並設方向に沿った寸法の全てを覆う長さに設定されている。
【００６４】
図４に示すように、正極の絶縁壁部４２と、負極の絶縁壁部４２は、並設方向に延びる仮想線Ｌ上に位置し、一対の絶縁壁部４２は並設方向に沿って同一直線上にある。
次に、二次電池１０の製造方法を作用とともに記載する。
【００６５】
なお、負極の負極引出端子６１と電流遮断機構８０と負極導電部材５２が予め一体化されているとする。
まず、蓋部材１５の外面１５ｃに外側絶縁部材５７を配置する。その外側絶縁部材５７の回り止め部５８内に外部接続端子６６の係合凸部６９を挿入する。次に、端子接続部材４４の貫通孔４６ａに外部接続端子６６の軸部６８を挿入する。
【００６６】
次に、正極側において、蓋部材１５の内面１５ｄ側にＯリング７３、第１絶縁部材４０を配置するとともに正極導電部材５１を配置する。そして、正極引出端子６０の接続用軸部６２を第１絶縁部材４０の挿通孔４０ａ、Ｏリング７３、蓋部材１５の挿通孔１５ｅ、外側絶縁部材５７の挿通孔５７ｄ及び端子接続部材４４の挿通孔４７ａに挿入する。また、正極引出端子６０のカシメ部６０ｃを端子接続部５１ｂに貫通させる。そして、接続用軸部６０ａとカシメ部６０ｃのカシメにより、カシメ部６０ｃと接続用軸部６０ａの先端部との間に、正極導電部材５１、第１絶縁部材４０、Ｏリング７３、蓋部材１５、外側絶縁部材５７、及び端子接続部材４４が挟持され、一体化される。
【００６７】
負極側において、蓋部材１５の内面１５ｄ側にＯリング７３、第１絶縁部材４０を配置し、第１絶縁部材４０の挿通孔４０ａ、Ｏリング７３、蓋部材１５の挿通孔１５ｅ、外側絶縁部材５７の挿通孔５７ｄ及び端子接続部材４４の挿通孔４７ａに、負極引出端子６１の接続用軸部６２を挿入する。そして、接続用軸部６２のカシメにより、基部６３と接続用軸部６２の先端部との間に、第１絶縁部材４０、Ｏリング７３、蓋部材１５、外側絶縁部材５７、及び端子接続部材４４が一体化されるとともに、電流遮断機構８０も一体化される。
【００６８】
すると、蓋部材１５に正極端子構造１６及び負極端子構造１７が形成され、蓋端子組立体２０が形成される。蓋端子組立体２０では、蓋部材１５と、電極接合部５１ａ，５２ａとの間に隙間が存在している。正極導電部材５１の電極接合部５１ａに対し、電極組立体１２の正極のタブ群３６がレーザ溶接によって接合され、負極導電部材５２の電極接合部５２ａに対し、負極のタブ群３６がレーザ溶接によって接合される。すると、蓋端子組立体２０と電極組立体１２が一体化される。
【００６９】
次に、タブ群３６を折り曲げて基端側曲げ部３６ａ、延出部３６ｂ、及び先端側曲げ部３６ｃを形成する。このとき、各極の絶縁壁部４２により、各極の基端側曲げ部３６ａが外側から覆われる。次に、蓋部材１５と、電極接合部５１ａ，５２ａとの間に、第２絶縁部材９０の壁絶縁部９１ａを差し込むように、第２絶縁部材９０をスライド移動させる。その結果、第２絶縁部材９０が正極導電部材５１及び負極導電部材５２に一体に組付けられるとともに、電極接合部５１ａ，５２ａと蓋部材１５との間に壁絶縁部９１ａが介在した状態となる。
【００７０】
また、各タブ群３６の先端側曲げ部３６ｃが、タブ絶縁部９１ｂによって外側から覆われた状態となる。また、先端側曲げ部３６ｃの第１タブ３６１が被覆部９１ｄによって電極組立体１２側から覆われる。また、正極絶縁部９２が正極引出端子６０のカシメ部６０ｃを覆い、負極絶縁部９３が電流遮断機構８０を覆う状態となる。
【００７１】
そして、電極組立体１２をケース部材１４の開口部１４ａからケース部材１４内に挿入する。その後、蓋部材１５をケース部材１４の開口端に接合し、ケース部材１４の開口部１４ａを蓋部材１５で閉塞すると、二次電池１０が組み立てられる。
【００７２】
上記実施形態によれば、以下のような効果を得ることができる。
（１）二次電池１０の製造について、蓋端子組立体２０を予め製造しておき、この蓋端子組立体２０の各電極接合部５１ａ，５２ａに各タブ群３６を接合して電極組立体１２を一体化した状態で電極組立体１２をケース部材１４内に収容して二次電池１０を製造する方法がある。この製造方法では、蓋端子組立体２０の製造後に、蓋部材１５と電極接合部５１ａ，５２ａとの間に壁絶縁部９１ａを差し込んで第２絶縁部材９０が装着される。
【００７３】
上記方法で製造された二次電池１０において、タブ群３６の基端側曲げ部３６ａは第１絶縁部材４０の絶縁壁部４２によってケース１１と絶縁でき、先端側曲げ部３６ｃは第２絶縁部材９０のタブ絶縁部９１ｂによってケース１１と絶縁できる。よって、蓋端子組立体２０に対し、第２絶縁部材９０を後から装着して製造された二次電池１０であっても、第２絶縁部材９０と第１絶縁部材４０とで、タブ群３６を積層方向両側からケース１１と絶縁できる。そして、第１絶縁部材４０は、各引出端子６０，６１の基部６０ｂ，６３と蓋部材１５を絶縁するための部材であり、蓋端子組立体２０に予め組付けられた部材である。この第１絶縁部材４０に絶縁壁部４２を設けるだけで、タブ群３６の基端側曲げ部３６ａをケース１１から絶縁することができ、基端側曲げ部３６ａの絶縁のための工程を増やさずに済む。
【００７４】
（２）ケース１１はアルミニウム製である。ケース１１が負極電位になると腐蝕してしまう。負極端子構造１７のタブ群３６を絶縁壁部４２とタブ絶縁部９１ｂとで積層方向両側からケース１１と隔てた。このため、負極のタブ群３６がケース１１に接触することを抑制し、ケース１１が負極電位になることを抑制できる。その結果として、アルミニウム製のケース１１が腐蝕することを抑制できる。
【００７５】
（３）二次電池１０は、正極端子構造１６及び負極端子構造１７それぞれに第１絶縁部材４０を備える。このため、両極性のタブ群３６の基端側曲げ部３６ａをケース１１と絶縁できる。
【００７６】
（４）正極端子構造１６の絶縁壁部４２と、負極端子構造１７の絶縁壁部４２とは、並設方向に沿って同じ仮想線Ｌ上にある。このため、一対の絶縁壁部４２により、各極のタブ群３６を積層方向の同じ位置に位置決めできる。
【００７７】
（５）第２絶縁部材９０は、先端側曲げ部３６ｃの最外層にある第１タブ３６１を電極組立体１２側から覆う被覆部９１ｄを備える。この被覆部９１ｄにより、最外層の第１タブ３６１が電極組立体１２に接触することを抑制できる。
【００７８】
なお、上記実施形態は以下のように変更してもよい。
○  第２絶縁部材９０は、正極絶縁部９２や負極絶縁部９３を備えず、壁絶縁部９１ａとタブ絶縁部９１ｂと被覆部９１ｄのみを備える構造であってもよい。
【００７９】
○  正極端子構造１６の第１絶縁部材４０は、絶縁壁部４２を備えていなくてもよい。
○  図６に示すように、第１絶縁部材４０の絶縁壁部４２は、タブ群３６の先端側曲げ部３６ｃとケース１１の第１内壁面１１ａとの間に介在し、先端側曲げ部３６ｃとケース１１を絶縁してもよい。このとき、第２絶縁部材９０のタブ絶縁部９１ｂは、タブ群３６の基端側曲げ部３６ａと、ケース１１の第２内壁面１１ｂとの間に介在して基端側曲げ部３６ａとケース１１を絶縁してもよい。この場合、基端側曲げ部３６ａが、第２絶縁部材９０のタブ絶縁部９１ｂでケース１１と絶縁される第１端部となり、先端側曲げ部３６ｃが第１絶縁部材４０の絶縁壁部４２でケース１１と絶縁される第２端部となる。なお、第２絶縁部材９０の被覆部９１ｄは削除する。
【００８０】
○  タブ群３６は、延出部３６ｂの先端部に先端側曲げ部３６ｃを備えない構成であってもよい。
○  実施形態において、第２絶縁部材９０は被覆部９１ｄを備えていなくてもよい。
【００８１】
○  正極端子構造１６の絶縁壁部４２と、負極端子構造１７の絶縁壁部４２とは、並設方向に延びる仮想線Ｌ上に配置されず、積層方向にずれた位置に配設されていてもよい。
○  電極端子は、正極引出端子６０や負極引出端子６１のように、外部接続端子６６と端子接続部材４４を介して接続されるものでなくてもよく、正極導電部材５１や負極導電部材５２に直接接続されたものでもよい。
【００８２】
○  蓄電装置は、正極引出端子６０と一体の電流遮断機構８０を有する二次電池にも適用することができる。
○  蓄電装置は、電流遮断機構８０を備えない二次電池にも適用することができる。
【００８３】
○  蓄電装置は、例えばキャパシタなど、二次電池以外の蓄電装置にも適用可能である。
○  正極電極２１及び負極電極３１は、金属箔の片面に活物質層が存在する構造でもよい。
【００８４】
○  二次電池１０は、リチウムイオン二次電池でもよいし、他の二次電池であってもよい。要は、正極用の活物質と負極用の活物質との間をイオンが移動するとともに電荷の授受を行うものであればよい。
【符号の説明】
【００８５】
１０…二次電池、１１…ケース、１２…電極組立体、１５…蓋部材、２０…蓋端子組立体、２１…正極電極、２５，３５…タブ、３１…負極電極、３６…タブ群、３６ａ…基端側曲げ部、３６ｂ…延出部、３６ｃ…先端側曲げ部、４０…第１絶縁部材、４２…絶縁壁部、５１…正極導電部材、５１ａ，５２ａ…電極接合部、５１ｂ，５２ｂ…端子接続部、５２…負極導電部材、６０…電極端子としての正極引出端子、６１…電極端子としての負極引出端子、６０ｂ，６３…基部、９０…第２絶縁部材、９１ａ…第１絶縁部、９１ｂ…第２絶縁部。
【図１】
2018006119.tif 000003
【図２】
2018006119.tif 000004
【図３】
2018006119.tif 000005
【図４】
2018006119.tif 000006
【図５】
2018006119.tif 000007
【図６】
2018006119.tif 000008